(57)【要約】      （修正有）【課題】２チューナを備えたデジタル放送受信装置において高速に選局する。【解決手段】まず、第１のチューナの選局がＴＳ内のサービスのうち上側であるか下側であるかを判定し、上側であれば、第２のチューナの現在位置が第１のチューナのＴＳの上のＴＳ内であるか否かを判定する。ＹＥＳであれば、チューナ２の選局位置を維持し、Ｎｏであれば、第２のチューナを第１のチューナのＴＳの下のＴＳへ移動し、処理を終了する。一方、第１のチューナの選局がＴＳ内のサービスのうち下側の場合には、第２のチューナの現在位置が第１のチューナのＴＳの下のＴＳ内であるか否かを判定する。Ｙｅｓの場合には、第２のチューナの選局位置を維持し、Ｎｏであれば、第２のチューナを第１のチューナの下のＴＳへ移動し、処理を終了する。【選択図】図８
2008263327.tif 000002
【特許請求の範囲】
【請求項１】
第１のチューナと第２のチューナとを含む複数のチューナを備えたデジタル放送受信装置において、
前記第１のチューナにおいてアップダウン選局を行う際に、次に選局するサービスのＴＳ内の位置に基づいて、前記第２のチューナを予め同調しておくサービスの位置を決定する制御を行う選局制御部を有することを特徴とするデジタルテレビジョン放送受信機。
【請求項２】
前記選局制御部は、次に選局するサービスのＴＳ内の位置が半分を境に、より近い方のＴＳに残りのチューナを同調しておくようにサービスを決定することを特徴とする請求項１に記載のデジタルテレビジョン放送受信機。
【請求項３】
前記選局制御部は、次に選局するサービスのＴＳ内の位置が隣接するＴＳの１つ前である場合に、より近い方のＴＳに残りのチューナを同調しておくサービスを決定することを特徴とする請求項１に記載のデジタルテレビジョン放送受信機。
【請求項４】
前記選局制御部は、次に選局するサービスのＴＳ内の位置が隣接するＴＳの特定範囲に入った場合に、残りのチューナでアップダウン選局の進行方向に当たる次のＴＳの一番近いサービスを同調しておくことを特徴とする請求項１に記載のデジタルテレビジョン放送受信機。
【請求項５】
前記選局制御部は、次に選局するサービスの条件が隣接するＴＳ両方に当てはまる場合には、残りのチューナでアップダウン選局の次の選局の延長上に当たるサービスを同調しておくことを特徴とする請求項１から４までのいずれか１項に記載のデジタルテレビジョン放送受信機。
【請求項６】
前記選局制御部は、次に選局するサービスの条件が隣接するＴＳ両方に当てはまる場合には、残りのチューナを現在の選局のままにしておくことを特徴とする請求項１から５までのいずれか１項に記載のデジタルテレビジョン放送受信機。
【請求項７】
前記第２のチューナにおいてＴＳの復調を行っておくことを特徴とする請求項１から６までのいずれか１項に記載のデジタルテレビジョン放送受信機。
【請求項８】
前記第２のチューナでデコードを行っておくことを特徴とする請求項１から６までのいずれか１項に記載のデジタルテレビジョン放送受信機。
【請求項９】
第１のチューナと第２のチューナとを含む複数のチューナを備えたデジタル放送受信装置における選局制御方法であって、
前記第１のチューナにおけるアップダウン選局を検出するステップと、
次に選局するサービスのＴＳ内の位置に基づいて、前記第２のチューナを予め同調しておくサービスの位置を決定するステップと
を有することを特徴とする選局制御方法。
【請求項１０】
請求項９に記載のステップをコンピュータに実行させるためのプログラム。
【請求項１１】
請求項１０に記載のプログラムを記録するコンピュータ読み取り可能な記録媒体。
【発明の詳細な説明】
【技術分野】
【０００１】
本発明は、デジタル放送受信装置に関し、特に、その高速選局システムに関する。
【背景技術】
【０００２】
アナログ放送でチャンネルを切り替えるときには、選局周波数を切り替えるだけで良い。しかしながら、デジタル放送では、チャンネル切り替え指示後に、実際に切り替え後の映像が表示される迄の期間がアナログ放送と比較して長くなる。この問題を解決する技術として、例えば特許文献１に記載のように、複数チューナのうちの使っていない方のチューナを用いて前もって同調を行っておくことにより、アップダウン選局時の選局時間を早くする技術が存在する。
【０００３】
【特許文献１】特開２００１−９４８９２号公報、「チャンネル切り替え装置」
【発明の開示】
【発明が解決しようとする課題】
【０００４】
デジタル放送では、非常に多くのチャネルが存在する。例えば、図２に示すように、デジタル放送においては、１つのネットワーク１０１内に複数の周波数１０２が存在し、その周波数１０２内には複数のＴＳ（Ｔｒａｎｓｐｏｒｔ  ｓｔｒｅａｍ）１０３が存在し、さらにそのＴＳ１０３内には複数のサービス（番組）１０４が存在する。デジタル放送受信装置においては、ユーザが特定のサービス１０４をそれぞれのチューナ（１）１０５、チューナ（２）１０６で選局することによりその番組の視聴が可能となる。ここで、若い番号への選局をアップ選局、大きい番号へ向けての選局をダウン選局と称する。
【０００５】
一般的にサービスを選局するためには、ネットワークの選択、周波数への同調、ＴＳの出力、サービスの選択、ＥＳの設定という一連の手順が必要となる。このうち、チューナの設定が必要となるＴＳ出力までの時間が１秒弱かかり、選局に要する時間全体の大きな部分を占めている。また、上記特許文献１において、安定した選局の高速化効果を得るためには、視聴したいサービスの前後のサービスを選局しておくために、少なくとも３個のチューナが必要となる。しかしながら、デジタル放送受信装置において、チューナは２個しか搭載されていないのが一般的である。このようなハードウェア構成で、上記特許文献１に記載の構成を実装したとしても、アップ方向のみの連続選局、もしくは、ダウン方向のみの連続選局に関してのみ有効であり、アップ選局とダウン選局との繰り返しを行う実際の使われ方に関しては、選局時間を短縮するという効果を得ることが出来ないという問題がある。
【０００６】
本発明は、２チューナを備えたデジタル放送受信装置における高速選局を目的とする。
【課題を解決するための手段】
【０００７】
選局先のサービスが、ＴＳ内のどの位置にあるのかを考慮した上で、もう片方のチューナを同調させておくサービスを特定する事で、２個のチューナでもアップダウン選局に対して安定した選局速度を維持する事が可能となる。また、ユーザーが選局に利用したチューナでは無い方のチューナの状態は、同調状態、ＴＳ出力状態、サービス選局状態のいずれの場合も考える事が出来る。
【０００８】
本発明の一観点によれば、複数のチューナを備えたデジタル放送受信装置において、アップダウン選局を行う際に、次に選局するサービスのＴＳ内の位置によって、残りのチューナを同調しておくデジタル放送受信装置が提供される。これによりユーザーは素早いアップダウン選局を行う事が可能となり、ユーザビリティの向上につながる。
【０００９】
また、２つのチューナを備えたデジタル放送受信装置において、アップダウン選局を行う際に、次に選局するサービスのＴＳ内の位置によって、残りのチューナを同調しておくサービスを決定するデジタル放送受信装置が提供される。これによりユーザーは一般的な構成のデジタル放送受信装置で素早いアップダウン選局を行う事が可能となり、ユーザビリティの向上につながる。
【００１０】
さらに、２つのチューナを備えたデジタル放送受信装置において、アップダウン選局を行う際に、次に選局するサービスのＴＳ内の位置によって、残りのチューナを同調しておくサービスを決定し、このサービスに同調しておくデジタル放送受信装置が提供される。これによりユーザーは一般的な構成のデジタル放送受信装置で素早いアップダウン選局を行う事が可能となり、ユーザビリティの向上につながる。
【００１１】
また、２つのチューナを備えたデジタル放送受信装置において、アップダウン選局を行う際に、次に選局するサービスのＴＳ内の位置によって、残りのチューナを同調しておくサービスを決定し、このサービスのＴＳを復調しておくデジタル放送受信装置が提供される。これによりユーザーは一般的な構成のデジタル放送受信装置で素早いアップダウン選局を行う事が可能となり、ユーザビリティの向上につながる。
【００１２】
さらに、２つのチューナを備えたデジタル放送受信装置において、アップダウン選局を行う際に、次に選局するサービスのＴＳ内の位置によって、残りのチューナを同調しておくサービスを決定し、このサービスのデコードを行っておくデジタル放送受信装置が提供される。これによりユーザーは一般的な構成のデジタル放送受信装置で素早いアップダウン選局を行う事が可能となり、ユーザビリティの向上につながる。
【００１３】
また、２つのチューナを備えたデジタル放送受信装置において、アップダウン選局を行う際に、次に選局するサービスがＴＳ内の半分よりどちら側に位置するかによって、残りのチューナを同調しておく隣接するＴＳにおけるサービスを決定するデジタル放送受信装置が提供される。これによりユーザーは一般的な構成のデジタル放送受信装置で素早いアップダウン選局を行う事が可能となり、ユーザビリティの向上につながる。
【００１４】
さらに、２つのチューナを備えたデジタル放送受信装置において、アップダウン選局を行う際に、次に選局するサービスが隣接するＴＳの１つ手前のサービスになった時にのみ、残りのチューナで隣接するＴＳの視聴サービスに一番近いサービスを選局するデジタル放送受信装置が提供される。これによりユーザーは一般的な構成のデジタル放送受信装置で素早いアップダウン選局を行う事が可能となり、ユーザビリティの向上につながる。また、無駄な選局が減る事で消費電力も削減できる。
【００１５】
また、２つのチューナを備えたデジタル放送受信装置において、アップダウン選局を行う際に、次に選局するサービスが特定の範囲内に入った場合にのみ、残りのチューナで特定のサービスを選局するデジタル放送受信装置が提供される。これによりユーザーは一般的な構成のデジタル放送受信装置で素早いアップダウン選局を行う事が可能となり、さらに、システムのきめ細かい要求に答える事が出来るため、ユーザビリティの向上につながる。
【００１６】
さらに、２つのチューナを備えたデジタル放送受信装置において、アップダウン選局を行う際に、視聴中のチューナでは無い方のチューナが、複数のサービスを選局する可能性がある場合に、選局の延長上に当たる方のサービスに同調しておくデジタル放送受信装置が提供される。これによりユーザーは一般的な構成のデジタル放送受信装置で素早いアップダウン選局を行う事が可能となり、さらに、システムの状態が不定になる事を防ぐ事で不具合が減り、結果ユーザビリティの向上につながる。
【００１７】
また、２つのチューナを備えたデジタル放送受信装置において、アップダウン選局を行う際に、視聴中のチューナでは無い方のチューナが、複数のサービスを選局する可能性がある場合に、選局を行わないデジタル放送受信装置が提供される。システムの状態が不定になる事を防ぐ事で不具合が減り、結果ユーザビリティの向上につながる。また、無駄な選局が減る事で消費電力も削減できる。
【発明の効果】
【００１８】
本発明によれば、２チューナテレビジョン受信装置において高速選局が可能となる。
【発明を実施するための最良の形態】
【００１９】
以下、本発明の実施の形態によるデジタル放送受信装置について図面を参照しながら説明を行う。図１は、本実施の形態によるデジタル放送受信装置の一構成例を示す機能ブロック図である。図１に示すように、本実施の形態によるデジタル放送受信装置Ａは、放送受信用のアンテナ１と、１つのチューナをそれぞれ含むフロントエンドＡ３及びフロントエンドＢ１１と、それぞれの系統毎に設けられているデマルチプレクサＡ５・Ｂ１５、デコード部Ａ７・Ｂ１７、を有している。さらに、画面合成部２１と、ＲＡＭ２３、タイマ２４、ＲＯＭ２５、制御部２７、音声切替部３３、表示部３５、音声出力部Ａ３７、音声出力部Ｂ４１（２画面表示可能な場合に対応）などが設けられている。尚、制御部２７には、選局に関する制御を行う選局制御部３１が設けられている。
【００２０】
上記構成を有する２チューナも有するデジタル放送受信装置の選局制御の様子について以下にいくつかの実施例を用いて説明を行う。まず、本発明の第１の実施の形態によるデジタル放送受信装置について図面を参照しながら説明を行う。
図３は、本実施の形態による選局の様子を示す概念的な図である。チャネル構成は図２のものと同様である。図３に示すように、チューナ（１）１０５がＴＳ４内のサービス１７を選局しており、チューナ（２）１０６がＴＳ５内のサービス１９を選局している場合に、チューナ（１）１０５を、アップ選局する場合を例にして説明を行う。
【００２１】
ここで、次に選局するサービスのＴＳ内の位置が半分を境に、より近い方のＴＳに残りのチューナを同調しておくサービスを決定するというアルゴリズムに従うと、以下のような制御が行われる。
【００２２】
まず、図８に示すフローチャート図を参照しながら、選局のアルゴリズムの概要について説明する。まず、処理を開始し（ステップＳ１）、ステップＳ２において、第１のチューナの選局がＴＳ内のサービスのうち上側であるか下側であるかを判定する。上側であれば、ステップＳ３に進み、第２のチューナの現在位置が第１のチューナのＴＳの上のＴＳ内であるか否かを判定する。ＹＥＳであれば、ステップＳ４に進み、チューナ２の選局位置を維持しステップＳ３に戻る。Ｎｏであれば、ステップＳ５に進み、第２のチューナを第１のチューナのＴＳの下のＴＳへ移動し、ステップＳ６で処理を終了する（ｅｎｄ）。ステップＳ２において下側の場合には、ステップＳ７に進み、第２のチューナの現在位置が第１のチューナのＴＳの下のＴＳ内であるか否かを判定する。Ｙｅｓの場合には、ステップＳ８において第２のチューナの選局位置を維持し、ステップＳ７に戻る。Ｎｏであれば、ステップＳ９に進み、第２のチューナを第１のチューナの下のＴＳへ移動し、ステップＳ６で処理を終了する（ｅｎｄ）。
【００２３】
アップ選局によってチューナ（１）１０５が同じＴＳ４内のサービス１６を選局する場合には、サービス１６はＴＳ４内のサービスのかたまり（１３〜１８まで）の半分より下（番号が大きい）のサービスであるため、他方のチューナ（２）１０６は、ＴＳ４の下のＴＳであるＴＳ５の、ＴＳ４に一番近い側のサービスであるサービス１９に選局したまま動かさないように選局制御する。
【００２４】
さらに、ユーザーがチューナ（１）１０５のアップ選局を続け、チューナ（１）１０５でサービス１５を選局した際には、図４に示すように、チューナ（２）１０６は、チューナ（１）１０５がＴＳ４内における半分より上に移動したため、アップ方向にあるＴＳであるＴＳ３の一番ＴＳ４寄りのサービス１２を選局しておく選局制御が行われる。この際、チューナ（２）１０６はＴＳ４と同じ周波数２に同調しているため、ＴＳが出力されないのでシステムに対して悪影響を及ぼすことがない。また、チューナ（２）１０６でＴＳの復調を行っておくことにより、デジタル選局で一番時間のかかる同調からＴＳの復調までの処理を実際にチューナを切り替える処理を行う前に完了させているため、選局が迅速に行うことが可能となる。
【００２５】
また、チューナ（２）１０６をデコード完了の状態まで処理済みにしておくことで、次に、アップ選局により実際にサービス１２が改めて選局された際に、ミュートを外すだけの処理で良い。
【００２６】
さらに、例えば、チューナ（１）１０５がサービス１２からサービス１１へとアップ選局を行った後に、再度サービス１２へとダウン選局した場合には、ＴＳ３の半分をこえていないため、チューナ（２）１０６はサービス１３に残ったままに制御され、無駄な選局の移動が発生せず、ユーザーがそのままサービス１３へと素早く選局できる。尚、上記の処理において、チューナ（１）１０５、チューナ（２）１０６は交換可能である。
【００２７】
次に、本発明の第２の実施の形態について図５、図６を参照しながら説明を行う。この実施の形態では、次に選局するサービスのＴＳ内の位置が隣接するＴＳの１つ前である場合に、より近い方のＴＳに残りのチューナを同調しておくことを特徴とする。
図５に示すように、チューナ（１）１０５がＴＳ４を選局する場合を考える。ここではチューナ（２）１０６の状態は、同調状態、ＴＳ出力状態、サービス選局状態のいずれの場合も同様に考えることができる。簡単のためサービス選局状態を例にして説明を行う。
図９を参照しながらアルゴリズムの概要について説明する。図９のフローチャート図に示すように、処理を開始し（ステップＳ１１：Ｓｔａｒｔ）、ステップＳ１２において、第１のチューナの選局位置がＴＳ内のサービスの上下端であるか否かを判定する（ステップＳ１２）。Ｎｏであれば、その状態を維持し、Ｙｅｓであれば、ステップＳ１３において、上下端のいずれと隣接するＴＳの第１のチューナとの隣接サービスに第２のチューナの選局位置を定める。次いで、ステップＳ１４において処理を終了する（ｅｎｄ）。
【００２８】
上記の制御アルゴリズムによれば、チューナ（１）１０５がサービス１４〜サービス１７を選局する間は、チューナ（２）１０６は選局を行わずに前のサービスを受信したままになっている。チューナ（１）１０５がサービス１４からサービス１３、すなわちＴＳ４のＴＳ３に隣接するサービスへのアップ選局を行った際に、チューナ（２）１０６は、図５に示すように、ＴＳ３のＴＳ４に最も近いサービスであるサービス１２へと選局を行うように選局制御される。同じく、チューナ１（１０５）がサービス１７からサービス１８へのダウン選局を行なった場合にも、チューナ（２）１０６は、図６に示すように、上記のアルゴリズムに基づいてサービス１９へ選局制御される。
【００２９】
このように、ユーザーのチューナ（１）１０５に対するアップダウン選局の回数よりも少ない回数のチューナ（２）１０６の選局によって、高速なアップダウン選局を行うことができる。同様に、上記のチューナ（１）１０５、チューナ（２）１０６は入替え可能である。
【００３０】
次に、本発明の第３の実施の形態による選局制御技術について説明する。この技術は、次に選局するサービスのＴＳ内の位置が隣接するＴＳの特定範囲に入った場合に、残りのチューナでアップダウン選局の進行方向に当たる次のＴＳの一番近いサービスを同調しておくというアルゴリズムに基づく制御である。以下では、チューナ（２）１０６の状態は、同調状態、ＴＳ出力状態、サービス選局状態のいずれの場合も同様に取り扱うことが出来るが、簡単のためサービス選局状態を例にして以下に説明を行う。
【００３１】
上記第１の実施の形態および第２の実施の形態においては、チューナ（１）１０５がサービス１４からサービス１３へのアップ選局を行った際には、チューナ（２）はサービス１２へと選局を行ない、チューナ（１）がサービス１７からサービス１８へのダウン選局を行なった場合には、チューナ（２）はサービス１９へと選局を行なうというように、チューナー（１）のアップダウン選局の選局先に近い方のＴＳの隣接サービスに対してチューナ（２）が選局されるように制御される。本実施の形態においては、次に選局するサービスのＴＳ内の位置が隣接するＴＳの特定範囲に入った場合に、残りのチューナでアップダウン選局の進行方向に当たる次のＴＳの一番近いサービスを同調しておく制御を行うことを特徴とする。例えば、チューナ（１）１０５のアップダウン選局に対するチューナ（２）１０６の選局については、ＴＳ内の特定範囲にチューナ（１）１０５のアップダウン選局が入ったか否かを基準にして行われる。例えば、特定範囲の設定方法として、選局時に要する周波数の同調時間とＴＳの出力までの時間とを合わせた時間と、同調後の視聴可能になるまでの時間を考慮して設定するのが好ましい。
【００３２】
周波数の同長時間とＴＳの出力までの時間とを合わせたものを例えば１秒とし、同調後から視聴可能になるまでの時間を例えば０．３秒とすると、チューナ（１）１０５が連続してアップダウン選局を行った場合に、チューナ（２）１０６が同調を完了しておくためには、４選局の余裕が必要となる。
【００３３】
つまり、図５に示す状態において、チューナ（１）１０５が周波数２のＴＳ４のサービス１３から連続してダウン選局を行ない、遅滞無くサービス１９まで選局を行なうためには、チューナ（１）がサービス１５、すなわちＴＳ４の中間のサービスを選局した時点で、チューナ（２）がサービス１９を選局するように制御すれば良い。
【００３４】
同様に、隣接するＴＳの境界では、同調後、ＴＳ出力までに例えば０．５秒かかるとすると、チューナ（１）が周波数２のＴＳ４のサービス１８から連続してアップ選局を行ない、遅滞無くサービス１２を選局するためにはチューナ（１）１０５がサービス１５、すなわちＴＳ４の中間のサービスを選局した時点で、チューナ（２）がサービス１２を選局する必要がある。
【００３５】
このように、放送や配信の特性による条件や、ユーザーインタフェースによる条件等によって、チューナ（１）１０５とチューナ（２）１０６との選局タイミングを決定することにより、無駄と遅滞が適切にバランスの取れた形で選局処理を行うことができる。沿うように、上記のチューナ（１）１０５、チューナ（２）１０６は入替え可能である。
【００３６】
次に、本発明の第４の実施の形態について説明する。本実施の形態では、次に選局するサービスの条件が隣接するＴＳ両方に当てはまる場合には、残りのチューナでアップダウン選局の次の選局の延長上に当たるサービスを同調しておくこと、或いは、次に選局するサービスの条件が隣接するＴＳ両方に当てはまる場合には、残りのチューナを現在の選局のままにしておくことを制御の特徴とする。  
チューナ（１）１０５の選局によって引き起こされるチューナ（２）１０６の選局条件が、複数の場所に設定された際の処理について説明する。例えば、隣接するＴＳの４つ手前で隣接するＴＳの一番近いサービスに選局を行う制御を行う場合には、チューナ（１）１０５がＴＳ４のサービス１５とサービス１６とにこの条件を適用すると、チューナ（２）はサービス１２とサービス１９のいずれに選局すれば良いか不定となる。このように不定になった場合において、次に選局するサービスの条件が隣接するＴＳ両方に当てはまる場合には、残りのチューナでアップダウン選局の次の選局の延長上に当たるサービスを同調しておくことを制御のアルゴリズムとすれば、チューナ（１）１０５がアップ選局を行なっていた場合にはチューナ（２）で上側のサービス１２への選局を行ない、チューナ（１）がダウン選局を行っていた場合にはチューナ（２）１０６で下側のサービス１９への選局を行なう。これにより、チューナ（２）がどちらを選局すれば良いのかに関する指針を明確にしてシステムが破綻することを防止することができる。
【００３７】
また、同様に、隣接するＴＳの４つ手前で隣接するＴＳの一番近いサービスに選局を行なうとする。チューナ（１）１０５がＴＳ４のサービス１５とサービス１６にこの条件を適用すると、チューナ（２）１０６はサービス１２とサービス１９のどちらに選局を行なえば良いか不定となる。このようにチューナ（２）１０６の選局すべきサービスが不定の場合に、次に選局するサービスの条件が隣接するＴＳ両方に当てはまる場合には、残りのチューナを現在の選局のままにしておく制御を行うようにすることで、チューナ（２）１０６は、選局を行なわないという事を決定することができる。これによりシステムの破綻と、無駄な選局によるシステム負荷を減らすことが可能となる。もちろん。上記のチューナ１、チューナ２は入替える可能である。
【００３８】
次に、本発明の第５の実施の形態について説明を行う。図７（Ａ）は、図１〜図６までと同様なネットワーク構成例を示す図である。一方、図７（Ｂ）は、実質的には図７（Ａ）と同様の構成であるが、ユーザがリモコン設定などで構成を変更した例を示す図である。図７（Ｂ）に示す構成では、ネットワーク１０１内において周波数１０２が順番に並んでおらず、同じ周波数１０２内でもＴＳ１０３が順番に並んでいない。従って、同じＴＳが隣接していない状態が存在し、サービスも順番に並んでいない。
【００３９】
しかしながら、例えば周波数２のＴＳ４では、サービス１５〜１８までの４つのサービスが同じＴＳ４内に並んでいる。このような場合には、上記第１から第４までの実施の形態によるアルゴリズムを、局所的に用いることができる。チューナ（１）１０５がサービス１８に設定されている場合には、チューナ（２）１０６はその隣のＴＳ３のサービス１１に選局されているが、ここで、チューナ（１）１０５をアップ選局していき、例えばサービス１５に至ると、周波数２のＴＳ３のサービス８にチューナ（２）が選局される。
【００４０】
以上のように、本発明の各実施の形態によれば、選局したサービスのＴＳ内での位置に基づいて、選局しておくチューナの位置を事前に決定することによって、２チューナのテレビジョン受信装置において、高速選局が可能となるという利点がある。
【産業上の利用可能性】
【００４１】
本発明は、デジタルテレビジョン装置に利用可能である。
【図面の簡単な説明】
【００４２】
【図１】本実施の形態によるデジタル放送受信装置の一構成例を示す昨日ブロック図である。
【図２】一般的な２チューナデジタル放送受信装置におけるチューナの選局位置の例を示す図である。
【図３】本発明の第１の実施の形態による２チューナデジタル放送受信装置におけるチューナの選局位置の例を示す図である。
【図４】本発明の第１の実施の形態による２チューナデジタル放送受信装置におけるチューナの選局位置の例を示す図である。
【図５】本発明の第２の実施の形態による２チューナデジタル放送受信装置におけるチューナの選局位置の例を示す図である。
【図６】本発明の第２の実施の形態による２チューナデジタル放送受信装置におけるチューナの選局位置の例を示す図である。
【図７】本発明の第５の実施の形態による２チューナデジタル放送受信装置におけるチューナの選局位置の例を示す図である。
【図８】本発明の第１の実施の形態による２チューナデジタル放送受信装置におけるチューナの選局処理の流れの例を示すフローチャート図である。
【図９】本発明の第２の実施の形態による２チューナデジタル放送受信装置におけるチューナの選局処理の流れの例を示すフローチャート図である。
【符号の説明】
【００４３】
１０１…ネットワーク
１０２…ネットワーク内の周波数
１０３…同一周波数内のＴＳ
１０４…ＴＳ内のサービス
１０５…チューナ１
１０６…チューナ２
【図１】
2008263327.tif 000003
【図２】
2008263327.tif 000004
【図３】
2008263327.tif 000005
【図４】
2008263327.tif 000006
【図５】
2008263327.tif 000007
【図６】
2008263327.tif 000008
【図７】
2008263327.tif 000009
【図８】
2008263327.tif 000010
【図９】
2008263327.tif 000011